(57)【要約】【課題】表示部を備えた装置において、表示部に対して表示設定を適用する際に、パスワード入力の手間をかけることなく、各ユーザーが自分で認証データを設定できるようにする。【解決手段】ＵＳＢソケット２６と、ＵＳＢマスストレージクラスに対応したＵＳＢ Ｉ／Ｆ２４と、ＵＳＢメモリー２００に記憶されている画像に基づいて作成されたＣＲＣと該ＣＲＣに対応付けて作成されたディスプレイ１６の表示設定とを記憶する不揮発性メモリー２０と、ＵＳＢソケット２６に対するＵＳＢメモリー２００の装着を検知するとＵＳＢメモリー２００から画像を取得してＣＲＣを作成し、不揮発性メモリー２０に記憶されているＣＲＣと比較し、ＣＲＣが一致すると装着されたＵＳＢメモリー２００に対応付けられている表示設定を適用するマイコン１８と、を備える。【選択図】図２
2011109482.tif 000002
【特許請求の範囲】
【請求項１】
表示部を備えた装置において、
外部メモリーの装着部と、
上記装着部に対する外部メモリーの装着を検知する検知手段と、
上記装着部に装着された外部メモリーに記憶されている画像に基づいて作成されたＣＲＣ（cyclic redundancy check）を記憶する固有情報記憶手段と、
上記ＣＲＣに対応付けて作成された上記表示部の表示設定を記憶する表示設定記憶手段と、
上記検知手段の検知した外部メモリーから画像を取得するとともに該画像に基づいてＣＲＣを作成し、上記固有情報記憶手段の記憶しているＣＲＣと比較する外部メモリー確認手段と、
上記外部メモリー確認手段が一致を確認したＣＲＣに対応付けられている表示設定を上記装置に適用する設定適用手段と、
を備えることを特徴とする装置。
【請求項２】
上記装置は、上記検知手段が外部メモリーの装着を検知しない場合に上記設定適用手段の適用した表示設定を解消するとともにデフォルトの表示設定を上記装置に適用する設定解消手段を更に備える請求項１に記載の装置。
【請求項３】
上記表示設定は、上記表示部の画面の輝度に関する設定と画面の色合いに関する設定との少なくとも一方を含む請求項１または請求項２に記載の装置。
【請求項４】
上記表示設定は、上記表示部に対して特定の設定の適用を禁止する禁止設定も含んでおり、
上記装置は、上記禁止設定を選択する操作入力を無効にするとともに上記外部メモリーに記憶されている画像を上記表示部に表示するエラー表示手段を更に備える請求項１〜請求項３の何れか１項に記載の装置。
【請求項５】
上記装置は、映像の視聴制限の度合を設定可能な映像ロック手段を備えており、
上記表示設定は上記視聴制限の度合の設定を含んでいる請求項１〜請求項４の何れか１項に記載の装置。
【請求項６】
上記装置はテレビジョンであり、
上記表示設定は、テレビ放送のチャンネルプランの設定を含んでいる請求項１〜請求項５の何れか１項に記載の装置。
【請求項７】
上記固有情報記憶手段は、上記外部メモリーのハードウェアの固有情報を記憶し、
上記表示設定記憶手段は、上記固有情報に対応付けて作成された上記表示部の表示設定を記憶し、
上記外部メモリー確認手段は、上記検知手段の検知した外部メモリーから上記固有情報を取得して上記固有情報記憶手段の記憶している固有情報と比較し、
上記設定適用手段は、上記外部メモリー確認手段が一致を確認した固有情報に対応付けられている表示設定を上記装置に適用する請求項１〜請求項６の何れか１項に記載の装置。
【発明の詳細な説明】
【技術分野】
【０００１】
本発明は、表示部を備えた装置に関する。
【背景技術】
【０００２】
特許文献１には、ＵＳＢメモリーに記憶されている認証データ（映像の視聴制限の管理を行う管理者を、制御部に識別させるためのデータ）およびパスワードの両方、または、認証データに基づいて認証されたときに、予め作成されたパレンタルロックの設定を適用することにより所定の視聴制限をおこなう映像再生装置について開示されている。
特許文献２には、外部メモリーが接続されるとその内部に記憶されている映像／音声に関する調整値、及び視聴可能年齢、購入限度額等の設定情報を読み出し、その設定情報に応じた映像、音声の調整値、及び受信動作を行うテレビ放送受信機について開示されている。
特許文献３には、ＵＳＢメモリーなどの外部メモリーの使用が禁止された状態にある情報処理装置に外部メモリーが接続された場合に、接続された外部メモリーのベンダーＩＤ及びプロダクトＩＤ、ならびにシリアル番号が情報処理装置のテーブル手段に記憶されているものと一致するか否かを判定し、ＩＤ及びシリアル番号が一致する場合には使用制限を解除し、ＩＤが一致しない場合及びシリアル番号が一致しない場合には使用を制限する外部メモリー使用制限方式について開示されている。
特許文献４には、ネットワークを介して情報処理装置へ送付されてきた使用許可に含まれる使用許可情報に、情報処理装置のＥＥＰＲＯＭに格納された管理者パスワードを追加してＣＲＣ（cyclic redundancy check）を計算することにより認証ＣＲＣを生成し、生成された認証ＣＲＣと使用許可に含まれる管理者ＣＲＣとを比較し、一致する場合にはＵＳＢメモリー等の持ち運び可能な記憶媒体を使用可能に設定する制御方法について開示されている。
【先行技術文献】
【特許文献】
【０００３】
【特許文献１】特開2008-271211号公報
【特許文献２】特開2002-16853号公報
【特許文献３】特開2007-148733号公報
【特許文献４】特開2006-309296号公報
【発明の概要】
【発明が解決しようとする課題】
【０００４】
使用許可を行う際の認証方法は、パスワードを使うことが一般的である。例えば、テレビジョンのパレンタルロックの設定はユーザー毎にレベルが異なっており、設定のレベル毎に異なるパスワードが必要な場合がある。しかしながら、文字情報を利用した認証方式では、文字数を多くするとパスワードを覚えることが困難である一方、文字数を少なくするとセキュリティが低下する。
このような実状に鑑みて、上述した特許文献１では、認証データによるパレンタルロックの認証について示唆されているが、具体的な認証データの形式については記載されていない。また、特許文献３では、プロダクトＩＤやシリアル番号を利用して使用制限を行っているが、これらはユーザーにとってあまり馴染みのあるデータではない。また、特許文献４では、パスワードに基づいて作成されたＣＲＣを利用しているものの、やはりパスワードを利用している。
本発明は、上記課題にかんがみて成されたものであり、表示部を備えた装置において、表示部に対して表示設定を適用する際に、パスワード入力の手間をかけることなく、各ユーザーが自ら容易に認証データを設定できるようにすることを目的とする。
【課題を解決するための手段】
【０００５】
上記課題を解決するために、本発明の表示部を備えた装置では、外部メモリーの装着部と、上記装着部に対する外部メモリーの装着を検知する検知手段と、上記装着部に装着された外部メモリーに記憶されている画像に基づいて作成されたＣＲＣ（cyclic redundancy check）を記憶する固有情報記憶手段と、上記ＣＲＣに対応付けて作成された上記表示部の表示設定を記憶する表示設定記憶手段と、上記検知手段の検知した外部メモリーから画像を取得するとともに該画像に基づいてＣＲＣを作成し、上記固有情報記憶手段の記憶しているＣＲＣと比較する外部メモリー確認手段と、上記外部メモリー確認手段が一致を確認したＣＲＣに対応付けられている表示設定を上記装置に適用する設定適用手段と、を備える構成としてある。
【０００６】
上記構成において、上記検知手段が上記装着部に上記外部メモリーが装着されたことを検知すると、上記外部メモリー確認手段が上記検知手段の検知した外部メモリーから画像を取得するとともに該画像に基づいてＣＲＣを作成し、上記固有情報記憶手段の記憶しているＣＲＣと比較する。そして、作成されたＣＲＣと記憶されていたＣＲＣとが一致すれば、装置に登録されている外部メモリーが装着されたものと判断し、一致しない場合は未登録の外部メモリーが装着されたものと判断する。なお、外部メモリーに画像が記憶されていない場合にはＣＲＣが作成できないため比較は出来ないが、この場合も一致しない場合に含むものとする。
【０００７】
そして、外部メモリーが登録されている場合には、上記設定適用手段は、一致が確認されたＣＲＣに対応付けて上記表示設定記憶手段に記憶されている表示設定を装置に適用し、外部メモリーが登録されていない場合は、表示設定の適用を行わない。なお、表示設定の適用を行わない場合は、デフォルトの表示設定が適用されるものとする。よって、画像というユーザーにとって識別容易なデータを利用するとともに、画像に基づいて作成されたＣＲＣを認証に利用することにより、セキュリティを維持しつつユーザビリティを向上した装置を提供することができる。
【０００８】
本発明の選択的な一側面として、上記装置は、上記検知手段が外部メモリーの装着を検知しない場合に上記設定適用手段の適用した表示設定を解消するとともにデフォルトの表示設定を上記装置に適用する設定解消手段を更に備える構成としてもよい。該構成によれば、外部メモリーの差替えや取外しに対応可能となる。また、外部メモリーのすり替えを防止することができる。
【０００９】
本発明の選択的な一側面として、上記表示設定は、上記表示部の画面輝度に関する設定と画面の色合いに関する設定との少なくとも一方を含む構成としてもよい。該構成によれば、外部メモリーを利用してユーザーの嗜好に合わせた表示や、省電力で動作する表示などを、簡単な操作で実現することができるようになる。
【００１０】
本発明の選択的な一側面として、上記表示設定は、上記表示部に対して特定の設定の適用を禁止する禁止設定も含んでおり、上記装置は、上記禁止設定を選択する操作入力を無効にするとともに上記外部メモリーに記憶されている画像を上記表示部に表示するエラー表示手段を更に備える構成としてもよい。該構成によれば、表示設定を適用するのみならず、外部メモリーに対応して作成された表示設定以外の設定を禁止設定としているため、禁止設定が行われることを防止することができる。さらに、禁止設定を行ったユーザーに対して、禁止設定であることを認知させるためのエラー表示を行うことができる。また、外部メモリーに記憶されている画像をユーザーが選択可能であるため、ユーザーの嗜好にあわせたエラー表示を行うことができる。
【００１１】
本発明の選択的な一側面として、上記装置は、映像の視聴制限の度合を設定可能な映像ロック手段を備えており、上記表示設定は上記視聴制限の度合の設定を含むように構成してもよい。該構成によれば、視聴制限の設定についてセキュリティを維持しつつユーザビリティを向上することができる。
【００１２】
本発明の選択的な一側面として、上記装置はテレビジョンであり、上記表示設定は、テレビ放送のチャンネルプランの設定を含むように構成してもよい。該構成によれば、チャンネルプランの変更が容易に行えるようになる。
【００１３】
本発明の選択的な一側面として、上記固有情報記憶手段は、上記外部メモリーのハードウェアの固有情報を記憶し、上記表示設定記憶手段は、上記固有情報に対応付けて作成された上記表示部の表示設定を記憶し、上記外部メモリー確認手段は、上記検知手段の検知した外部メモリーから上記固有情報取得して上記固有情報記憶手段の記憶している固有情報と比較し、上記設定適用手段は、上記外部メモリー確認手段が一致を確認した固有情報に対応付けられている表示設定を上記装置に適用する構成としてもよい。該構成によれば、画像に基づいて作成されたＣＲＣに加えてハードウェアの固有情報を利用して認証を行うため、ユーザビリティを低下させること無くセキュリティを向上することができる。
【００１４】
上述した表示部を備えた装置は、他の機器に組み込まれた状態で実施されたり他の方法とともに実施されたりする等の各種の態様を含む。
【発明の効果】
【００１５】
以上説明したように本発明によれば、特定の表示設定をパスワード入力などの煩わしい手間をかけることなく表示部に適用するための物理的手段を、セキュリティを低下することなく提供可能となる。
また請求項２にかかる発明によれば、セキュリティをさらに向上できる。
また請求項３にかかる発明によれば、複雑な表示設定であっても煩わしい作業無しに容易に適用できるようになる。
また請求項４にかかる発明によれば、ユーザーは自分の行った操作が適用を禁止された設定であることを認識できるようになる。
また請求項５にかかる発明によれば、パレンタルロックの解除もしくは適用の鍵として外部メモリーを使用できるようになる。
また請求項６にかかる発明によれば、複数種類のチャンネルプランに容易に対応可能となる。
また請求項７にかかる発明によれば、表示設定を適用する際のセキュリティをさらに向上できる。
【図面の簡単な説明】
【００１６】
【図１】テレビジョンのハードウェア構成を示すブロック図である。
【図２】起動処理の流れを示すフローチャートである。
【図３】ＵＳＢメモリーとＣＲＣとの対応関係を説明する図である。
【図４】装着チェック処理の流れを示すフローチャートである。
【図５】ＵＳＢメモリー管理処理の流れを示すフローチャートである。
【図６】操作監視処理の流れを示すフローチャートである。
【図７】変形例にかかるＵＳＢメモリーとＣＲＣとの対応関係を説明する図である。
【発明を実施するための形態】
【００１７】
以下、下記の順序に従って本発明の実施形態を説明する。
（１）本実施形態の構成：
（２）起動処理：
（３）装着チェック処理：
（４）ＵＳＢメモリー管理処理：
（５）操作監視処理：
（６）まとめと各種変形例：
【００１８】
（１）本実施形態の構成： 
以下、本発明の実施形態について図面を参照しつつ説明する。本実施形態においては、表示部を備えた装置としてデジタルテレビ放送に対応したテレビジョンを例にとって説明するが、むろんアナログ放送に対応したテレビジョンであってもよい。また、必ずしも装置と表示部が一体になっている必要は無い。また、ディスクやハードディスク等を記録媒体とする再生装置や記録装置であってもよいし、これら再生装置や記録装置とのコンボ機であってもよい。
【００１９】
図１はテレビジョン１００のハードウェア構成を示すブロック図である。同図において、テレビジョン１００は、チューナー１０と、デジタル復調回路１２と、映像信号処理部１４と、ディスプレイ１６と、マイコン１８と、不揮発性メモリー２０と、操作入力部２２と、ＵＳＢインターフェース２４（ＵＳＢ Ｉ／Ｆ２４）とを備えている。この構成において、マイコン１８は、各部１０，１２，１４，１６，２０，２２，２４と電気的に接続しており、テレビジョン１００全体の制御部として機能している。
【００２０】
より具体的には、マイコン１８は、ＣＰＵ１８ａとＲＯＭ１８ｂとＲＡＭ１８ｃとＯＳＤ回路１８ｄと入出力回路１８ｅ（Ｉ／Ｏ１８ｅ）とを備えており、ＲＡＭ１８ｃをワークエリアとしつつＣＰＵ１８ａがＲＯＭ１８ｂに記憶されたプログラムを実行することにより、テレビジョン１００としての動作を実現する。例えば、マイコン１８は、操作入力部２２においてチャンネルを選局する操作入力が行われると、この操作入力に対応する電圧信号を入出力回路１８ｅにて受け付け、選局されたチャンネルを指定する選局制御信号周波数データをチューナー１０に入力する。
【００２１】
チューナー１０は、いわゆるシンセサイザ方式の構成とすることができる。シンセサイザ方式の場合、チューナー１０には、選局制御信号として、ＰＬＬループにおける可変分周回路の分周比のデータであるＰＬＬデータが与えられる。チューナー１０は、マイコン１８からＰＬＬデータが入力されると、アンテナから入力されるデジタル放送信号から、ＰＬＬデータに対応する周波数帯域の中間周波信号（ＩＦ）を抽出してデジタル復調回路１２に供給する。
【００２２】
デジタル復調回路１２は、フロントエンド１２ａとバックエンド１２ｂとから構成されている。デジタルＩ／Ｆは、入力された中間周波信号をデジタル信号に変換する。復調部は、伝送路上で発生したビット誤りを訂正しつつトランスポートストリーム信号（ＴＳ信号）を取得するエラー訂正デコーダとして機能し、取得したＴＳ信号をバックエンド１２ｂに出力する。また、復調部はデジタル復調した信号に対してマイコン１８からの制御情報に基づいて、いわゆるゴーストキャンセルも行う。
【００２３】
バックエンド１２ｂは、デ・スクランブル部とデ・マルチプレックス部とＭＰＥＧデコーダとを備えている。デ・スクランブル部は、ＴＳ信号に対してデ・スクランブル処理を行うことにより、ＴＳ信号を再生可能なデータ配列に復元する。デ・マルチプレックス部は、デ・スクランブル部から入力されたＴＳ信号に対してデ・マルチプレックス処理を行って映像信号や音声信号や文字情報等の多重化を解除し、映像信号および音声信号が所定の方式により圧縮されたＭＰＥＧデータを得る。ＭＰＥＧデコーダは、デ・マルチプレックス部から入力されたＭＰＥＧデータの圧縮解凍処理を行ってデジタル映像信号とデジタル音声信号とを再生する。デジタル映像信号は映像信号処理部１４に出力され、デジタル音声信号はアナログ音声信号に変換されてから不図示のスピーカに出力される。
【００２４】
映像信号処理部１４は、入力された映像信号に対して所定の信号処理を行ってからディスプレイ１６に出力する。より具体的には、映像信号処理部１４は、画素数変換回路と、画質調整回路と、出力処理回路とを備えている。画素数変換回路は、入力されたデジタル映像信号に対してスケーリング処理を行いつつディスプレイ１６の１画面分のＲＧＢ信号を生成する。画質調整回路は、画素数変換回路から入力されたＲＧＢ信号に対して、ブライトネス、コントラスト、黒バランスおよび白バランス、シャープネス、色合い等の各種調整を行う。出力処理回路は、画質調整回路から入力されたＲＧＢ信号に対して、ガンマ補正、ディザ処理等を行うとともに、背景信号、ＯＳＤ信号、ブランキング信号等を付加してディスプレイ１６に出力する。
【００２５】
ディスプレイ１６は、例えば液晶パネルと駆動回路とから構成される液晶モジュールであり、映像信号処理部１４から入力される映像信号に基づいて駆動回路が液晶パネルの駆動信号を生成し、この駆動信号に基づいて液晶パネルの各画素を駆動する。なお、本実施形態ではディスプレイ１６を液晶モジュールとしているが、むろん、ＣＲＴやプラズマディスプレイや有機ＥＬを用いたディスプレイやプロジェクタなど種々のディスプレイを採用することができる。
【００２６】
また、マイコン１８には、ＵＳＢ Ｉ／Ｆ２４が接続されている。ＵＳＢ Ｉ／Ｆ２４はＵＳＢソケット２６に接続されている。ＵＳＢソケット２６にＵＳＢメモリー２００が装着されると、マイコン１８は、ＵＳＢメモリー２００との間でＵＳＢマスストレージクラスに準拠した通信を行って接続を確立する。ＵＳＢ Ｉ／Ｆ２４とＵＳＢメモリー２００との間で接続が確立されると、マイコン１８は、ＵＳＢメモリー２００に対するデータの読み書きや、メモリー内に記憶されているデータの一覧の取得などの各種ファイル操作を行うことが出来るようになる。尚、以下の説明で複数のＵＳＢメモリーを選択的にＵＳＢソケット２６に接続する場合には、各ＵＳＢメモリーにＵＳＢメモリー２００ａ，２００ｂ，・・・のように各々異なる符号をつけて説明する。また、本実施形態においては、ＵＳＢソケット２６が装着部を構成し、ＵＳＢメモリー２００が外部メモリーを構成し、ＵＳＢ Ｉ／Ｆ２４とマイコン２２が検知手段を構成する。
【００２７】
また、操作入力部２２においてメニュー画面の表示を指示する操作入力が行われると、マイコン１８は、この操作入力に対応する電圧信号を入出力回路１８ｅにて受け付け、受付けた操作入力に対応するＯＳＤデータを不揮発性メモリー２０から取得してＯＳＤ（On Screen Display）信号を生成する。なお、ＯＳＤデータは、ＲＯＭ１８ｂに記憶しておいてもよい。マイコン１８は、ディスプレイ１６の画面に表示された操作項目の中からいずれかを選択する操作入力を操作入力部２２から受付けると、選択された操作項目に対応する設定処理を実行する。
【００２８】
不揮発性メモリー２０は、ＯＳＤデータのように、通常のテレビジョン１００の制御処理において実行するプログラム以外のデータを格納するための記憶媒体であり、ＯＳＤデータ以外にも、表示設定のパラメーターや音声設定のパラメーター等を記憶しておくことができる。音声設定のパラメーターは、音声信号のボリュームやトーン調整の設定値である。マイコン１８は、必要に応じて不揮発性メモリー２０からパラメーターを取得してＲＡＭ１８ｃなどのワークエリアに一時的に保存し、パラメーターに基づいて映像信号処理部１４や不図示の音声処理部を制御する。
【００２９】
表示設定には、上述した映像信号処理部１４で利用されるブライトネス、コントラスト、黒バランスおよび白バランス、シャープネス、ガンマ補正、ディザ処理等のように表示に関する各種設定パラメーターの他に、チャンネルプランを含むようにすることができる。チャンネルプランとは、チャンネル番号と各チャンネル番号に対応する放送信号の中心周波数との対応関係を規定した対応テーブルである。チャンネルプランは、地域や国ごとに異なっている。
【００３０】
また、表示設定には、視聴制限の度合を示す設定パラメーターも含むようにすることができる。視聴制限の度合を示す設定パラメーターは、いわゆるパレンタルロックの視聴年齢制限のパラメーターなどである。このようなパレンタルロックの視聴制限の度合を示す設定値に基づいて番組の視聴を制限する処理を実行するマイコン１８が、本実施形態において映像ロック手段を構成する。
例えば、上記パレンタルロックがいわゆるＶチップを搭載したテレビジョンである場合は、映像ロック手段としてのマイコン１８は、上記ＴＳ信号からＰＳＩＰ（Program Specific Informantion Protocol）データを抽出し、ＰＳＩＰデータからＥＩＴ（Event Information Table）を抽出する。ＥＩＴは、個々の番組の名称や放送日時、番組内容の説明などの番組に関する情報を含むテーブルである。また、マイコン１８は、Ｖチップ２．０の場合にはＶチップのレーティング情報のＲＲＴ（Rating Regeon Table）をＰＳＩＰデータから取得し、CEA-766-Aにて規定される従来のＶチップの場合はＲＲＴを不揮発性メモリー２０から取得する。ＲＲＴは、番組の種類を特定する情報と視聴ランクとの対応関係を規定したテーブルである。そして、マイコン１８は、ＥＩＴに含まれる番組の種類を特定する情報に基づいて番組の視聴ランクを特定し、特定された視聴ランクの番組が視聴制限のパラメーターにおいて視聴を許可されている番組である場合には映像を表示させ、視聴が許可されない番組である場合には映像を表示させない処理を行うことになる。
【００３１】
不揮発性メモリー２０には複数組の表示設定を記憶可能であり、各表示設定はそれぞれ特定のＵＳＢメモリー（後述のＵＳＢメモリー管理処理を行ってテレビジョン１００に登録されているＵＳＢメモリー）に対応付けて記憶される。また、装着されたＵＳＢメモリーが、特定のＵＳＢメモリーであるか否かを判断するために、そのＵＳＢメモリーに特有の情報である同一性確認情報を表示設定に対応付けて記憶しておく。そして、ＵＳＢソケット２６に装着されたＵＳＢメモリーが特定のＵＳＢメモリーのいずれかであると判断されたときにのみ、不揮発性メモリー２０に記憶されている表示設定がテレビジョン１００に対して適用されるようになっている。なお、不揮発性メモリー２０は本実施形態において固有情報記憶手段や表示設定記憶手段を構成する。
【００３２】
同一性確認情報としては、ＵＳＢメモリー２００に記憶されている画像データに基づいて作成されたＣＲＣ（cyclic redundancy check）を用いたり、ＵＳＢメモリー２００に固有の情報であるベンダーＩＤやシリアルナンバーを用いたりすることができる。むろん、同一性確認情報としてベンダーＩＤやシリアルナンバーから作成されたＣＲＣを用いてもよい。また、同一性確認情報として一方向ハッシュ関数などの圧縮関数を用いて画像データやベンダーＩＤやシリアルナンバーから作成される固定長のハッシュ値を用いても構わない。画像データを用いる場合は、ユーザーが予めパーソナルコンピューター等にＵＳＢメモリーを接続して画像データをＵＳＢメモリー２００にコピーするなどして用意しておく。また、画像データがＵＳＢメモリー２００内に複数あることも考えられるため、ＣＲＣと一緒に画像データのファイル名や保存パスなどを保存しておく。
【００３３】
また、不揮発性メモリー２０には、デフォルトの表示設定も記憶されている。デフォルトの表示設定は、同一性確認情報に対応付けられておらず、テレビジョン１００に登録されたＵＳＢメモリーがＵＳＢソケット２６に装着されていないときに、テレビジョン１００に適用される。尚、デフォルトの表示設定は、必ずしも不揮発性メモリー２０に記憶されている必要はなく、ＲＯＭ１８ａに記憶されていてもよい。
【００３４】
（２）起動処理： 
図２は、上記構成を利用してテレビジョン１００において実行される起動処理の流れを示すフローチャートである。同図に示す処理は、テレビジョン１００の電源がオンになったときにマイコン１８によって実行される。
【００３５】
処理が開始されると、マイコン１８は、ＵＳＢソケット２６にＵＳＢメモリー２００が装着されているか否かを判断する（Ｓ１００）。そして、ＵＳＢメモリー２００が装着されている場合はステップＳ１０５に進み（Ｓ１００：Ｙｅｓ）、ＵＳＢメモリー２００が装着されていない場合はステップＳ１３０に進む（Ｓ１００：Ｎｏ）。ステップＳ１３０に進むと、マイコン１８はデフォルトの表示設定をテレビジョン１００に適用して起動処理を終了する。なお、ＵＳＢメモリー２００は、ＵＳＢソケット２６に装着されたときに予めＵＳＢ Ｉ／Ｆ２４によって接続が確立されているものとする。
【００３６】
一方、ステップＳ１０５に進むと、マイコン１８は、接続されているＵＳＢメモリー２００に表示設定が記憶されているか否かを判断する。そして、表示設定が記憶されていればステップＳ１１０に進み（Ｓ１０５：Ｙｅｓ）、表示設定が記憶されていなければステップＳ１３０に進んで（Ｓ１０５：Ｎｏ）デフォルトの表示設定をテレビジョン１００に適用する。
【００３７】
ステップＳ１１０に進むと、マイコン１８は、ＵＳＢメモリー２００から画像データを取得し（Ｓ１１０）、取得した画像データに基づいてＣＲＣを作成する（Ｓ１１５）。そして、装着されているＵＳＢメモリーがテレビジョン１００に登録されているか否か、すなわち装着されているＵＳＢメモリーに対応づけられた表示設定が不揮発性メモリー２０に記憶されているか否かを判断する（Ｓ１２０）。ＵＳＢメモリーがテレビジョン１００に登録されていればステップＳ１２５に進み（Ｓ１２０：Ｙｅｓ）、登録されていなければステップＳ１３０に進む（Ｓ１２０：Ｎｏ）。
【００３８】
図３は、ＵＳＢメモリー２００と同一性確認情報としてのＣＲＣとの対応関係を説明する図である。同図において、「表示設定１」はＵＳＢメモリー２００ａに対応して作成されたものであり、「表示設定１」に対応付けて記憶されている「ＣＲＣ１」は、ＵＳＢメモリー２００ａに記憶されている「画像データ１」から作成されたものである。同様に、「表示設定２」はＵＳＢメモリー２００ｂに対応して作成されたものであり、「表示設定２」に対応付けて記憶されている「ＣＲＣ２」は、ＵＳＢメモリー２００ｂに記憶されている「画像データ２」から作成されたものである。尚、「ＣＲＣ３」と「表示設定３」は、図示を省略しているＵＳＢメモリー２００ｃに記憶されている「画像データ３」に対応している。
【００３９】
図３に示す対応関係があるときに、ＵＳＢメモリー２００ａやＵＳＢメモリー２００ｂが接続されているのであれば、ステップＳ１２０では、ＵＳＢメモリーから取得された画像データから作成されるＣＲＣは不揮発性メモリー２０に記憶されているＣＲＣと一致するため、ステップＳ１２５に進むことになる。一方、ＵＳＢメモリー２００ｅが接続されている場合は、ＵＳＢメモリーから取得された画像データ５に基づいてＣＲＣ５が作成されるので、未登録のＵＳＢメモリーであると判断されてステップＳ１３０に進む。また、ＵＳＢメモリー２００ｆが接続されている場合は、そもそも画像データが記憶されていないのでＣＲＣが作成できず、やはり未登録のＵＳＢメモリーであると判断されてステップＳ１３０に進む。
【００４０】
ステップＳ１２５では、マイコン１８は、装着されているＵＳＢメモリーに対応する表示設定を取得してテレビジョン１００に適用する。具体的には、マイコン１８は、ＲＡＭ１８ｃにおける現在の表示設定を記憶するための領域に、装着されているＵＳＢメモリーに対応する表示設定を上書きする。すると、マイコン１８は、以降の表示処理において上書きされた表示設定に合わせてディスプレイ１６に出力する映像信号の調整を行って出力するようになる。ステップＳ１２５の処理が終了すると、マイコン１８は、起動処理を終了する。以上、ステップＳ１００の処理を実行するマイコン１８が本実施形態における検知手段を構成し、ステップＳ１００〜Ｓ１２０の処理を実行するマイコン１８が外部メモリー確認手段を構成し、ステップＳ１２５の処理を実行するマイコン１８が本実施形態における設定適用手段を構成する。
【００４１】
以上の処理によれば、ＵＳＢメモリー２００の同一性に基づいて登録の有無を確認し、ＵＳＢメモリーが登録されている場合にはＵＳＢメモリーに対応する表示設定が自動的に適用されるようになる。よって、管理者がテレビジョン１００に装着するＵＳＢメモリーを予め登録済みのＵＳＢメモリーの中から選択して差し替えて起動するだけで、鮮やかな表示、消費電力を抑えた表示、過激な番組の視聴制限を行った表示、特定のチャンネルマップになどを、パスワード入力などのわずらわしい作業を行うことなく容易に適用できるようになる。また、未登録のＵＳＢメモリーが装着された場合には、デフォルトの表示設定が適用されるため、デフォルトの表示設定として省電力設定を設定しておくことにより省電力を容易に実現できる。
【００４２】
（３）装着チェック処理： 
次に、テレビジョン１００の電源がオンされている間に行われるＵＳＢメモリーの取外しや差替えに対応するための装着チェック処理について説明する。
図４は、装着チェック処理の流れを示すフローチャートである。同図に示す処理は、マイコン１８が実行するものであり、テレビジョン１００の電源がオンされている間は、所定時間おきに繰り返し実行されている。
【００４３】
処理が開始されると、マイコン１８は、ＵＳＢメモリーが装着されているか否かを判断する（Ｓ２００）。ＵＳＢメモリーが装着されている場合はステップＳ２０５に進み（Ｓ２００：Ｙｅｓ）、ＵＳＢメモリーが装着されていない場合はステップＳ２３０に進む（Ｓ２００：Ｎｏ）。マイコン１８は、ＵＳＢ Ｉ／Ｆ２４に問合せることにより、ＵＳＢメモリーが装着されているか否かを確認できる。ステップＳ２３０に進むと、マイコン１８は、デフォルトの表示設定をテレビジョン１００に適用して装着チェック処理を終了する。
【００４４】
一方、ステップＳ２０５に進むと、マイコン１８は、接続されているＵＳＢメモリー２００から画像データを取得し（Ｓ２０５）、取得した画像データに基づいてＣＲＣを作成する（Ｓ２１０）。そして、装着されているＵＳＢメモリーが現在の表示設定に対応しているか否かを判断する（Ｓ２１５）。尚、いずれのＣＲＣに対応する表示設定を現在の表示設定として利用しているかを示す情報が、不揮発性メモリー２０に記憶されているものとする。すなわち、マイコン１８は、現在の表示設定に対応するＣＲＣとステップＳ２１０で作成したＣＲＣとが一致するか否かを判断し（Ｓ２１５）、一致している場合には装着チェック処理を終了し（Ｓ２１５：Ｙｅｓ）、一致していない場合はステップＳ２２０に進む（Ｓ２１５：Ｎｏ）。
【００４５】
ステップＳ２２０では、マイコン１８は、接続されているＵＳＢメモリーがテレビジョン１００に登録されているか否か、すなわち装着されているＵＳＢメモリーに対応づけられた表示設定が不揮発性メモリー２０に記憶されているか否かを判断する（Ｓ２２０）。登録されているか否かは、上述した起動処理のステップＳ１０５〜Ｓ１２０と同様の処理を行うことにより判断できる。ＵＳＢメモリーがテレビジョン１００に登録されていればステップＳ２２５に進み（Ｓ２２０：Ｙｅｓ）、登録されていなければステップＳ２３０に進む（Ｓ２２０：Ｎｏ）。
【００４６】
ステップＳ２２５では、マイコン１８は、装着されているＵＳＢメモリーに対応する表示設定を取得して、テレビジョン１００に適用する。すなわち、マイコン１８は、ＲＡＭ１８ｃの現在の表示設定を記憶する領域に、装着されているＵＳＢメモリーに対応する表示設定を上書きする。すると、マイコン１８は、以降の表示処理において上書きされた表示設定に合わせてディスプレイ１６に出力する映像信号の調整を行って出力するようになる。ステップＳ２２５の処理が終了すると、マイコン１８は、装着チェック処理を終了する。以上、ステップＳ２００の処理を実行するマイコン１８が本実施形態における検知手段を構成し、ステップＳ２００〜Ｓ２２０の処理を実行するマイコン１８が本実施形態における外部メモリー確認手段を構成し、ステップＳ２２５の処理を実行するマイコン１８が本実施形態における設定解消手段を構成し、ステップＳ２３０の処理を実行するマイコン１８が本実施形態における設定適用手段を構成する。
【００４７】
以上のように、現在の表示設定に対応付けられたＵＳＢメモリーの装着状態を確認することにより、テレビジョン１００を起動した後に行われたＵＳＢメモリーの取外しや差替えに対応して、現在の表示設定を速やかに解消し、新たなＵＳＢメモリーに対応する表示設定を適用したり、デフォルトの表示設定を適用したりすることができるようになる。
【００４８】
（４）ＵＳＢメモリー管理処理： 
以上説明したＵＳＢメモリー２００は、予め作成しておく必要がある。また、作成済みのＵＳＢメモリーに対応付けられた表示設定を変更したいという要望も考えられる。これらの必要性に対応する処理として、本実施形態ではテレビジョン１００においてＵＳＢメモリー管理処理を実行できるようになっている。
図５は、ＵＳＢメモリーと表示設定との対応付けを管理するためのＵＳＢメモリー管理処理の流れを示すフローチャートである。同図に示す処理は、マイコン１８が実行するものであり、テレビジョン１００の各種設定メニューの１つである「ＵＳＢメモリー管理」の操作項目を選択したときに開始される。
【００４９】
処理が開始されると、マイコン１８は、パスワード入力画面をディスプレイ１６に表示する（Ｓ３００）。パスワード入力画面は、ユーザーに対して管理パスワードの入力を要求する画面である。パスワードが入力されると、マイコン１８は、そのパスワードが適正であるか否かを判断し（Ｓ３０５）、適正であればステップＳ３１０に進み（Ｓ３０５：Ｙｅｓ）、誤っていればＵＳＢメモリー管理処理を終了する（Ｓ３０５：Ｎｏ）。このように、ＵＳＢメモリー管理処理の実行に対してパスワードロックをかける事により、一般ユーザーによるＵＳＢメモリーの作成を防止するとともに、いったん作成されたＵＳＢメモリーの利用に対してパスワードをかけなくてもセキュリティが低下せずに済む。
【００５０】
パスワードが一致すると、ＵＳＢメモリー２００に設定する各種表示設定の内容を設定するための設定画面を表示し（Ｓ３１０）、ＵＳＢメモリー２００が装着されているか否かを判断する（Ｓ３１５）。ＵＳＢメモリー２００が装着されている場合はステップＳ３２５に進み（Ｓ３１５：Ｙｅｓ）、ＵＳＢメモリー２００が装着されていない場合はステップＳ３２０に進む（Ｓ３１５：Ｎｏ）。ステップＳ３２０に進むと、ＵＳＢメモリー２００を装着するように促すメッセージを画面に表示してから、ＵＳＢメモリー管理処理を終了する。
【００５１】
ステップＳ３２５では、ＵＳＢメモリー２００に画像データが記憶されているか否かを判断し、ＵＳＢメモリー２００に画像データが記憶されていることを確認するとステップＳ３３５に進み（Ｓ３２５：Ｙｅｓ）、画像データを確認できない場合にはステップＳ３３０に進んで（Ｓ３２０：Ｎｏ）ＵＳＢメモリー２００に画像を用意するように促すメッセージを画面に表示してからＵＳＢメモリー管理処理を終了する（Ｓ３３０）。画像データの有無は、例えば、ＵＳＢメモリー２００に記憶されているファイルの拡張子（Ｊｐｅｇ画像を示す拡張子など）に基づいて確認することができる。
【００５２】
ステップＳ３３５では、ＵＳＢメモリー２００がテレビジョン１００に登録済みか否かを判断する（Ｓ３３５）。すなわち、ＵＳＢメモリー２００に記憶されていた画像データに基づいてＣＲＣを作成し、不揮発性メモリー２０に記憶されているＣＲＣと比較し、一致するＣＲＣがあれば登録済みのＵＳＢメモリーと判断してステップＳ３４０に進み（Ｓ３３５：Ｙｅｓ）、いずれのＣＲＣとも一致しなければ未登録のＵＳＢメモリーと判断してステップＳ３４５に進む（Ｓ３３５：Ｎｏ）。
【００５３】
ステップＳ３４０では、すでに登録されている表示設定を取得して、その内容を設定画面の各設定項目に反映させてからステップＳ３４５に進む。このステップは、既に登録済みの表示設定を再編集するための処理であり、ユーザーは、以前に登録を完了したときの状態から設定を再開することができる。設定項目の中には、画像データを指定するための項目もあり、後述のステップＳ３５０では、この設定項目で指定された画像データに基づいてＣＲＣが作成されることになる。また、設定項目の中には、後述の禁止操作判定処理においてエラー画面に表示するための画像を指定するための項目もある。ただし、ＣＲＣの作成元となる画像データとエラー画面に表示する画像データとは、同じものを利用してもよい。
【００５４】
ステップＳ３４５では、設定画面を表示し、各設定項目に対するユーザーの設定操作を受付ける。そして、ユーザーが設定操作を行うと、ユーザーの行った操作入力を反映した設定画面に更新して表示しなおす。また、所定時間おきにステップＳ３５０を実行し、設定が完了したか否かを判断する。例えば、設定画面には「設定完了」ボタンが設けられており、このボタンが操作された場合はステップＳ３５５に進み（Ｓ３５０：Ｙｅｓ）、操作されていないのであればステップＳ３４５を繰り返し実行する（Ｓ３５０：Ｎｏ）。
【００５５】
ステップＳ３５０では、設定完了したときに設定画面の各設定項目において指定されていた設定パラメーターを取得し、これらをまとめて１つの表示設定として不揮発性メモリー２０に記憶する。また、ＣＲＣの作成元として指定された画像データに基づいてＣＲＣを作成し、表示設定に対応付けて不揮発性メモリー２０に記憶する。また、エラー画面に表示する画像データのファイル名やパスを、表示設定に含めて記憶する。ステップＳ３５０が終了すると、ＵＳＢメモリー管理処理を終了する。
【００５６】
（５）操作監視処理： 
上述した表示設定は、設定された設定パラメーターでの表示を許可する許可設定であるとともに、設定されなかった設定パラメーターでの表示を禁止する禁止設定でもある。そのため、テレビジョン１００では、ユーザーの行う操作入力を監視し、禁止設定を有効化することを目的とした操作入力を無効化するための操作監視処理が実行されている。
図６は、操作監視処理の流れを示すフローチャートである。同図に示す処理は、マイコン１８によって実行されており、テレビジョン１００の電源が投入されている間は所定時間置きに繰り返し実行されている。
【００５７】
処理が開始されると、ステップＳ４００で操作入力の有無を判断し、操作入力があった場合はステップＳ４０５に進み（Ｓ４００：Ｙｅｓ）、操作入力がない場合は操作監視処理を終了する（Ｓ４００：Ｎｏ）。次に、ステップＳ４０５では、禁止操作であるか否かを判断し、禁止操作である場合はステップＳ４１５に進み（Ｓ４０５：Ｙｅｓ）、禁止操作で無い場合はステップＳ４１０に進む（Ｓ４０５：Ｎｏ）。ステップＳ４１０に進むと、操作入力に応じた処理を実行して操作監視処理を終了する。
【００５８】
ステップＳ４１５では、現在の表示設定においてエラー画像が指定されているか否かを判断する。エラー画像が指定されている場合は、ステップＳ４２５に進み（Ｓ４１５：Ｙｅｓ）、操作入力を無効化するとともに指定されている画像データをＵＳＢメモリーから取得してディスプレイ１６に画像を表示する（Ｓ４２５）。一方、エラー画像が指定されていない場合は、ステップＳ４２０に進み（Ｓ４１５：Ｎｏ）、操作入力を無効化するとともにデフォルトの画像データに基づいてディスプレイ１６に画像を表示する（Ｓ４２０）。尚、デフォルトの画像データが無い場合は、ディスプレイ１６に画像が表示されない。ステップＳ４２０，Ｓ４２５が終了すると、操作監視処理を終了する。以上、ステップＳ４００Ｓ４０５，Ｓ４１５〜Ｓ４２５の処理を実行するマイコン１８が、本実施形態におけるエラー表示手段を構成する。
【００５９】
以上の操作監視処理によれば、禁止設定を有効化する操作入力を無効化するとともに、操作が無効化されたことをユーザーが認識することができる。よって、ユーザーは、自分の行った操作がロックされていることを明確に認識し、状況を把握することができるようになる。
【００６０】
（６）まとめと各種変形例： 
以上説明した実施形態にかかるテレビジョン１００は、ＵＳＢソケット２６と、ＵＳＢマスストレージクラスに対応したＵＳＢ Ｉ／Ｆ２４と、ＵＳＢメモリー２００に記憶されている画像に基づいて作成されたＣＲＣと該ＣＲＣに対応付けて作成されたディスプレイ１６の表示設定とを記憶する不揮発性メモリー２０と、ＵＳＢソケット２６に対するＵＳＢメモリー２００の装着を検知するとＵＳＢメモリー２００から画像を取得してＣＲＣを作成し、不揮発性メモリー２０に記憶されているＣＲＣと比較し、ＣＲＣが一致すると装着されたＵＳＢメモリー２００に対応付けられている表示設定を適用するマイコン１８と、を備えている。このように構成することにより、ディスプレイ１６に対して表示設定を適用する際に、パスワード入力の手間をかけることなく、各ユーザーが自分で認証データを設定できるようになる。
【００６１】
なお、上述した実施形態では、表示設定がテレビジョン１００の内部にある不揮発性メモリー２０に記憶されているが、表示設定を各ＵＳＢメモリー２００に記憶するようにしても構わない。図７は、表示設定を各ＵＳＢメモリー２００に記憶する変形例にかかるＵＳＢメモリーとＣＲＣとの対応関係を説明する図である。同図に示すように、本変形例では、不揮発性メモリー２０には、各ＵＳＢメモリーに記憶されている画像データに基づいて作成されたＣＲＣは記憶されるものの、表示設定は、各ＵＳＢメモリーの側に保存されている。このような構成を採用すると、不揮発性メモリー２０の容量の節約につながるためコストアップを防止することができる。また、ＵＳＢメモリー管理処理のステップＳ３２５〜Ｓ３３５の処理の代わりにＵＳＢメモリーに表示設定が記憶されているか否かを判断すればよいため、処理が速くなる。
【００６２】
なお、本実施形態では、ＵＳＢメモリー２００に対する読み書きを行うためのＵＳＢ Ｉ／Ｆ２４とＵＳＢソケット２６を備える構成を例にとって説明を行っているが、テレビジョン１００に対して着脱可能な他の種類の外部記憶媒体を採用しても構わない。
【００６３】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００６４】
１００…テレビジョン、１０…チューナー、１２…デジタル復調回路、１２ａ…フロントエンド、１２ｂ…バックエンド、１４…映像信号処理部、１６…ディスプレイ、１８…マイコン、１８ａ…ＣＰＵ、１８ｂ…ＲＯＭ、１８ｃ…ＲＡＭ、１８ｄ…ＯＳＤ回路、１８ｅ…入出力回路（Ｉ／Ｏ）、２０…不揮発性メモリー、２２…操作入力部、２４…ＵＳＢインターフェース（ＵＳＢ Ｉ／Ｆ）、２６…ＵＳＢソケット、２００…ＵＳＢメモリー、２００ａ，２００ｂ，２００ｅ，２００ｆ…ＵＳＢメモリー
【図１】
2011109482.tif 000003
【図２】
2011109482.tif 000004
【図３】
2011109482.tif 000005
【図４】
2011109482.tif 000006
【図５】
2011109482.tif 000007
【図６】
2011109482.tif 000008
【図７】
2011109482.tif 000009